(57)【要約】【課題】  可変なＩＰアドレス（ＵＲＬ）を持つ複数のネットワーク接続装置のそれぞれを上位側のネットワークよりアクセスして保守可能にする。【解決手段】  接続装置親機２（１）は、接続装置子機２（２）〜２（５）のＭＡＣアドレスの登録を受け付けて記憶装置２０５の子機テーブルに保持し、接続装置親機２（１）の子機一覧提供部２２１は、保守ＰＣ３からの要求を受けて、子機一覧リストを作成して保守ＰＣ３に提供する。接続装置親機２（１）の接続用情報提供部２２２は、子機一覧リストから選択された接続装置子機２（２）〜２（５）に対して保守許可を申請し、許可を受けた場合に、接続装置子機２（２）〜２（５）の上位側のネットワークのＩＰアドレスを保守ＰＣ３に提供して、当該接続装置子機へ接続して保守可能にする。【選択図】図２
2019114994.tif 000002
【特許請求の範囲】
【請求項１】
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムであって、
前記接続装置親機は、
１以上の前記接続装置子機のそれぞれに割り当てられている装置識別情報を記憶する記憶手段と、
前記保守用装置からの要求に応じて、前記記憶手段の前記装置識別情報に基づき１以上の前記接続装置子機の一覧リストを作成し、前記保守用装置に提供する子機一覧提供手段と、
前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供手段と
を備え、
前記接続装置子機は、
前記接続装置親機からの自機の前記装置識別情報を含む保守許可要求を受け付けた場合に、保守許可応答を形成して前記接続装置親機に提供する許可応答形成手段
を備え、
前記保守用装置は、
１以上の前記接続装置子機の一覧リストの提供要求を形成し、前記接続装置親機に提供する一覧リスト要求手段と、
前記接続装置親機からの前記接続装置子機の一覧リストの提供を受けて、前記一覧リストを通じて保守対象の前記接続装置子機の選択入力を受け付ける受付手段と、
前記受付手段を通じて受け付けた選択入力に応じて、選択された前記接続装置子機に対する接続要求を形成して前記接続装置親機に提供する接続要求手段と、
前記接続装置親機からの前記接続用情報に基づいて、選択された前記接続装置子機にアクセスして通信回線を接続する接続実行手段と
を備えることを特徴とする通信システム。
【請求項２】
請求項１に記載の通信システムであって、
前記接続装置親機は、
自機よりも上位に位置する上位装置より接続装置親機であることを示す情報の提供を受けていない場合であって、自機よりも下位に位置する下位装置から情報提供要求を受けた場合に、自機が接続装置親機であることを示す情報を含めて情報の提供を行う親機情報提供手段
を備え、
前記接続装置子機は、
自機よりも上位に位置する上位装置より接続装置親機であることを示す情報の提供を受けた場合には、自機が接続装置子機であることを示す情報を含む登録要求を形成して、前記上位装置に提供する子機情報登録手段
を備えることを特徴とする通信システム。
【請求項３】
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムの前記接続装置親機であって、
１以上の前記接続装置子機のそれぞれに割り当てられている装置識別情報を記憶する記憶手段と、
前記保守用装置からの要求に応じて、前記記憶手段の前記装置識別情報に基づき１以上の前記接続装置子機の一覧リストを作成し、前記保守用装置に提供する子機一覧提供手段と、
前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供手段と
を備えることを特徴とする接続装置親機。
【請求項４】
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムの前記接続装置子機であって、
前記接続装置親機は、１以上の前記接続装置子機のそれぞれに割り当てられている装置識別情報を記憶する記憶手段と、前記保守用装置からの要求に応じて、前記記憶手段の前記装置識別情報に基づき１以上の前記接続装置子機の一覧リストを作成し、前記保守用装置に提供する子機一覧提供手段と、前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供手段とを備えるものであり、
前記接続装置親機からの自機の前記装置識別情報を含む保守許可要求を受け付けた場合に、保守許可応答を形成して前記接続装置親機に提供する許可応答形成手段
を備えることを特徴とする接続装置子機。
【請求項５】
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムの前記保守用装置であって、
前記接続装置親機は、１以上の前記接続装置子機のそれぞれに割り当てられている装置識別情報を記憶する記憶手段と、前記保守用装置からの要求に応じて、前記記憶手段の前記装置識別情報に基づき１以上の前記接続装置子機の一覧リストを作成し、前記保守用装置に提供する子機一覧提供手段と、前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供手段とを備えるものであり、
前記接続装置子機は、前記接続装置親機からの自機の前記装置識別情報を含む保守許可要求を受け付けた場合に、保守許可応答を形成して前記接続装置親機に提供する許可応答形成手段を備えるものであり、
１以上の前記接続装置子機の一覧リストの提供要求を形成し、前記接続装置親機に提供する一覧リスト要求手段と、
前記接続装置親機からの前記接続装置子機の一覧リストの提供を受けて、前記一覧リストを通じて保守対象の前記接続装置子機の選択入力を受け付ける受付手段と、
前記受付手段を通じて受け付けた選択入力に応じて、選択された前記接続装置子機に対する接続要求を形成して前記接続装置親機に提供する接続要求手段と、
前記接続装置親機からの前記接続用情報に基づいて、選択された前記接続装置子機にアクセスして通信回線を接続する接続実行手段と
を備えることを特徴とする保守用装置。
【請求項６】
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムの前記接続装置親機に搭載されたコンピュータで実行される接続処理プログラムであって、
前記保守用装置からの要求に応じて、１以上の前記接続装置子機のそれぞれに割り当てられている装置識別情報を記憶する記憶手段の前記装置識別情報に基づき１以上の前記接続装置子機の一覧リストを作成し、前記保守用装置に提供する子機一覧提供ステップと、
前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供ステップと
を実行することを特徴とする接続処理プログラム。
【請求項７】
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムの前記接続装置親機に搭載されたコンピュータで実行される接続応答プログラムであって、
前記接続装置親機に搭載されたコンピュータでは、前記保守用装置からの要求に応じて、１以上の前記接続装置子機のそれぞれに割り当てられている装置識別情報を記憶する記憶手段の前記装置識別情報に基づき１以上の前記接続装置子機の一覧リストを作成し、前記保守用装置に提供する子機一覧提供ステップと、前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供ステップとが実行するようにされており、
前記接続装置親機からの自機の前記装置識別情報を含む保守許可要求を受け付けた場合に、保守許可応答を形成して前記接続装置親機に提供する許可応答形成ステップ
を実行することを特徴とする接続応答プログラム。
【発明の詳細な説明】
【技術分野】
【０００１】
この発明は、例えば、パーソナルコンピュータなどのＷｅｂクライアント装置を通じて、上位のネットワークを通じて複数のＷｅｂサーバへの接続を適切に行えるようにするシステム、装置、プログラムに関する。
【背景技術】
【０００２】
後に記す特許文献１には、リダイレクト処理を利用することにより、適切なユーザインターフェースを提供する画像処理システム等に関する発明が開示されている。例えば、ウェブクライアント（パーソナルコンピュータ）からインターネット上の画像処理装置にＨＴＴＰ（Hypertext Transfer Protocol）コマンドにより処理要求を出して画像処理をさせたとする。画像処理装置は画像処理の結果を要求元のウェブクライアントに返信するが、自機の保持している情報だけではウェブクライアントの使用者に対して分かりやすく充分な応答を返すことができない場合がある。
【０００３】
そこで、特許文献１に記載の発明の場合、画像処理装置は、ウェブクライアントに対して、画像処理結果を提供すると共に表示処理サービス用ウェブサーバにリダイレクトするように指示を出す。これに応じて、ウェブクライアントは表示処理サービス用ウェブサーバにアクセスして、画像処理装置から画像処理結果を提供して、処理結果情報の提供を要求する。表示処理サービス用ウェブサーバは、画像処理結果に応じた処理結果情報を形成し、ウェブクライアントに提供する。
【０００４】
これにより、リダイレクト先の表示処理サービス用ウェブサーバの機能を利用して、ウェブクライアントのユーザの使用形態や好みなどに応じて、ウェブクライアントに表示するユーザインターフェースを容易にカスタマイズできる。すなわち、ウェブクライアントの使用者に対して分かりやすく充分な応答を返すことができる。
【先行技術文献】
【特許文献】
【０００５】
【特許文献１】特開２００５−１５７５５２号公報
【発明の概要】
【発明が解決しようとする課題】
【０００６】
しかしながら、特許文献１に記載の発明の場合、ウェブクライアントから画像処理装置にアクセスし、表示処理サービス用ウェブサーバにリダイレクトされる場合、表示処理サービス用ウェブサーバのＵＲＬを事前に画像処理装置へ設定しておく必要がある。近年においては、複数台のネットワーク接続装置を用いて、比較的に規模の大きな通信システムを構築する場合がある。ネットワーク接続装置は、ルータ機能、ＤＨＣＰ（Dynamic Host Configuration Protocol）サーバ機能等を備えたものである。
【０００７】
ネットワーク接続装置は、上位に位置するＤＨＣＰサーバよりＩＰアドレスの割り当てを受けると共に、下位の装置に対してはＩＰアドレスを割り当てる処理を行う。一般に、割り当てられたＩＰアドレスは、例えば、所定時間ごとに再割り当てが行われたり、また、自機が電源の再立ち上げを行うごとに再割り当てが行われたりするなど、可変なものである場合が多い。このため、所定のネットワーク接続装置にアクセスし、他のネットワーク接続装置にリダイレクトを行うようにしたい場合には、他のネットワーク接続装置の最新のＩＰアドレスを当該所定のネットワーク接続装置に設定しなければならない。
【０００８】
当該所定のネットワーク接続装置に他のネットワーク接続装置の最新のＩＰアドレスが設定されていない場合には、他のネットワーク接続装置へのリダイレクトは行えない。また、当該所定のネットワーク接続装置が他のネットワーク接続装置に対してＩＰアドレスを割り当てている場合であっても、可変のＩＰアドレスによってはユーザが目的とする他のネットワーク接続装置を特定することは難しい。このため、例えば、保守用に用いられる保守ＰＣ（Personal Computer）からＩＰアドレスを用いてＷＡＮ（Wide Area Network）側（上位側）より複数あるネットワーク接続装置を特定して接続し、目的とするネットワーク接続装置に対して保守を行うことは難しい。
【０００９】
したがって、保守ＰＣを用いて、複数のネットワーク接続装置のそれぞれの保守を行うためには、複数のネットワーク接続装置のそれぞれに対して、ＬＡＮ（Local Area Network）側（下位側）より保守ＰＣを接続し直す必要が生じる。このため、保守ＰＣを用いた各ネットワーク接続装置の保守には、手間や時間がかかることになり、大規模な通信システム全体を適切に維持することが難しくなる。
【００１０】
以上のことに鑑み、この発明は、可変なＩＰアドレス（ＵＲＬ）を持つ複数のネットワーク接続装置のそれぞれを上位側のネットワークよりアクセスして保守可能にすることを目的とする。
【課題を解決するための手段】
【００１１】
上記課題を解決するため、請求項１に記載の発明の通信システムは、
広域ネットワークに接続される回線終端装置と、前記回線終端装置に接続される接続装置親機と、ローカルエリアネットワークを通じて前記接続装置親機に接続される１以上の接続装置子機及び保守用装置とからなる通信システムであって、
前記接続装置親機は、
１以上の前記接続装置子機のそれぞれに割り当てられている装置識別情報を記憶する記憶手段と、
前記保守用装置からの要求に応じて、前記記憶手段の前記装置識別情報に基づき１以上の前記接続装置子機の一覧リストを作成し、前記保守用装置に提供する子機一覧提供手段と、
前記保守用装置において前記一覧リストを通じて選択された保守対象の前記接続装置子機の前記装置識別情報を含む保守許可要求を１以上の前記接続装置子機に提供し、保守対象の前記接続装置子機からの許可を得て、前記保守用装置に接続用情報を提供する接続用情報提供手段と
を備え、
前記接続装置子機は、
前記接続装置親機からの自機の前記装置識別情報を含む保守許可要求を受け付けた場合に、保守許可応答を形成して前記接続装置親機に提供する許可応答形成手段
を備え、
前記保守用装置は、
１以上の前記接続装置子機の一覧リストの提供要求を形成し、前記接続装置親機に送信する一覧リスト要求手段と、
前記接続装置親機からの前記接続装置子機の一覧リストの提供を受けて、前記一覧リストを通じて保守対象の前記接続装置子機の選択入力を受け付ける受付手段と、
前記受付手段を通じて受け付けた選択入力に応じて、選択された前記接続装置子機に対する接続要求を形成して前記接続装置親機に提供する接続要求手段と、
前記接続装置親機からの前記接続用情報に基づいて、選択された前記接続装置子機にアクセスして通信回線を接続する接続実行手段と
を備えることを特徴とする。
【００１２】
この請求項１に記載の発明の通信システムによれば、接続装置親機は、接続装置子機の装置識別情報の登録を受け付けて記憶手段に保持している。接続装置親機の子機一覧提供手段は、保守用装置からの要求を受けて、記憶手段の装置識別情報に基づき子機一覧リストを作成して保守用装置に提供する。そして、接続装置親機の接続用情報提供手段は、子機一覧リストから選択された接続装置子機に対して保守許可を申請する。この申請に応じて、保守許可を受けた場合には、接続用情報提供手段は、当該接続装置子機の上位側のＩＰアドレスを保守用装置に提供して、接続装置親機から当該接続装置子機へ接続できるようにする。
【００１３】
一方、接続装置子機の許可応答形手段は、接続装置親機からの自機の装置識別情報を含む保守許可要求を受け付けた場合には、保守許可応答を形成して接続装置親機に提供する。また、保守用装置は、一覧リスト要求手段が、接続装置子機の一覧リストの提供要求を形成して接続装置親機に提供し、受付手段が、接続装置親機からの接続装置子機の一覧リストを通じて保守対象の前記接続装置子機の選択入力を受け付ける。
【００１４】
そして、接続要求手段が、受付手段を通じて受け付けた選択入力に応じて、選択された接続装置子機に対する接続要求を形成して接続装置親機に提供する。この後、接続実行手段が、接続装置親機からの接続用情報に基づいて、選択された接続装置子機にアクセスすることによって、接続処理が完了する。これにより、保守用装置は、接続装置子機に接続して保守を行える。
【発明の効果】
【００１５】
この発明によれば、可変なＩＰアドレス（ＵＲＬ）を持つ複数のネットワーク接続装置のそれぞれに対して、上位側よりアクセスして保守を可能にすることができる。
【図面の簡単な説明】
【００１６】
【図１】実施の形態の通信システムの構成例を説明するための図である。
【図２】実施の形態の接続装置の構成例を説明するためのブロック図である。
【図３】付与ＩＰアドレステーブルの例を示す図である。
【図４】子機テーブルの例を示す図である。
【図５】保守ＰＣの構成例を説明するためのブロック図である。
【図６】子機一覧リストの表示例を説明するための図である。
【図７】実施の形態の通信システムで行われる子機一覧リストからの子機への接続処理について説明するためのシーケンス図である。
【図８】接続装置間で伝送されるパケットの構造の例を説明するための図である。
【図９】親機情報を伝送するパケットのオプションの概要を説明するための図である。
【図１０】子機登録を行うための登録要求の例を説明するための図である。
【図１１】親機設定、子機設定を自動的に行う場合の処理を説明するためのシーケンス図である。
【発明を実施するための形態】
【００１７】
以下、図を参照しながら、この発明のシステム、装置、プログラムの実施の形態について説明する。
【００１８】
［通信システムの構成例］
図１は、この実施の形態の通信システムの構成例を説明するための図である。図１において、回線終端装置１は、広域ネットワークの終端に接続され、ユーザ側の装置を広域ネットワークに接続する。回線終端装置には、ＯＮＵ（Optical Network Unit：光回線終端装置）と呼ばれ、広域ネットワークである光通信ネットワークに接続されて、光信号と電気信号間の変換と光信号の多重／分離をするものがある。また、回線終端装置には、モデムと呼ばれ、例えばＡＤＳＬ（Asymmetric Digital Subscriber Line：非対称デジタル加入者線）に接続され、デジタル信号とアナログ信号の変換を行うものがある。この実施の形態において、回線終端装置は、例えばＯＵＮである。
【００１９】
接続装置親機２（１）と接続装置子機２（２）〜２（５）とのそれぞれは、ネットワーク接続装置としての機能を実現する。すなわち、接続装置親機２（１）と接続装置子機２（２）〜２（５）とのそれぞれは、ルータ機能、ＤＨＣＰサーバ機能などを備え、異なる通信ネットワーク間を接続すると共に、配下に接続された通信装置に対してプライベートＩＰアドレスを付与する。この実施の形態の通信システムでは、図１に示すように、回線終端装置１の直下に接続装置親機２（１）が接続されている。そして、接続装置親機２（１）に対して接続装置子機２（２）〜２（５）及び保守ＰＣ（Personal Computer）が、ＬＡＮ４を介して接続されている。
【００２０】
このように、この実施の形態の通信システムでは、接続装置親機２（１）が広域ネットワークにより近い上位の装置（親機）であり、接続装置子機２（２）〜２（５）及び保守ＰＣは、接続装置親機２（１）の配下の装置（下位の装置（子機））となっている。このため、接続装置については、同じ機能を有するものであっても、親機と子機とを区別するようにしている。
【００２１】
そして、図１においては、接続装置親機２（１）に対しては、例えば、ＩＳＰ（Internet Service Provider）側よりグローバルＩＰアドレスとして「ｘｘｘ．ｘｘｘ．ｘｘｘ．ｘｘｘ」が割り当てられている。また、図１においては、接続装置親機２（１）が自機のＤＨＣＰサーバ機能により、自機と接続装置子機２（２）〜２（４）のそれぞれと、保守ＰＣ３とに対して、プライベートＩＰアドレスを割り当てた場合を示している。すなわち、接続装置親機２（１）には、ＩＰアドレス「１９２．１６８．１．１」を割り当て、接続装置子機２（２）〜２（５）には、ＩＰアドレス「１９２．１６８．１．２」〜「１９２．１６８．１．５」を割り当てている。また、保守ＰＣ３には、ＩＰアドレス「１９２．１６８．１．５０」を割り当てている。
【００２２】
このように、接続装置親機２（１）は、自機と自機の配下に接続される装置に対しては、各ＩＰアドレスにおいて下線を付して示したセグメントまでのネットワーク部が共通の「１９２．１６８．１」であるＩＰアドレスを割り当てている。そして、接続装置親機２（１）は、配下に接続される装置が交換されたり、取り外されたり、また、追加されたりするなどして接続構成が変更されることを考慮し、一定時間ごとにＩＰアドレスの再割り当て（割り当て直し）を行うようにしている。また、配下に接続される装置の電源が落とされ、再度電源投入された場合にも、ＩＰアドレスの再割り当てを行う。このように、接続装置親機２（１）によって割り当てられるＩＰアドレスは、一度割り当てられたら変わらないものではなく、可変のものである。
【００２３】
接続装置子機２（２）〜２（５）のそれぞれもまた、配下に接続される装置に対してプライベートＩＰアドレスを割り当てる機能を有している。図１においては下線を付して示したように、接続装置子機２（２）は、ネットワーク部が「１９２．１６８．２」となるＩＰアドレスを割り当て、接続装置子機２（３）は、ネットワーク部が「１９２．１６８．３」となるＩＰアドレスを割り当てる。同様に、接続装置子機２（４）は、ネットワーク部が「１９２．１６８．４」となるＩＰアドレスを割り当て、接続装置子機２（５）は、ネットワーク部が「１９２．１６８．５」となるＩＰアドレスを割り当てる。
【００２４】
そして、接続装置親機２（１）と接続装置子機２（２）〜２（５）とは、自機の配下に構成されるネットワークと、自機の上位に存在するネットワークとを接続し、それらの異なるネットワークに接続されている装置間で通信を行えるようにする。また、接続装置親機２（１）と接続装置子機２（２）〜２（５）とのそれぞれとにおいては、自機が親機なのか子機なのかを、設置作業者が手動により設定することができるようにされている。この設定は、一般には下位側（ＬＡＮ側）より例えば保守ＰＣ等を通じてアクセスして行われる。
【００２５】
このように構成された通信システムにおいて、接続装置子機２（２）〜２（５）や保守ＰＣ３に割り当てられるＩＰアドレスは変わる可能性がある可変なものである。このため、保守ＰＣ３の使用者は、例え接続装置子機２（２）〜２（５）にＩＰアドレスが割り当てられていたとしても、そのそれぞれを確実に特定できない。そこで、この実施の形態の通信システムでは、接続装置子機２（２）〜２（５）のそれぞれの装置識別情報として、ＭＡＣアドレス（Media Access Control Address）を予め接続装置親機２（１）に登録しておくようにする。
【００２６】
保守ＰＣ３の使用者は、接続装置親機２（１）に登録されたＭＡＣアドレスを用いて、接続装置子機２（２）〜２（５）のそれぞれを特定する。そして、保守ＰＣ３の使用者は、保守ＰＣ３を通じて、接続装置子機２（２）〜２（５）のそれぞれごとに上位側（ＷＡＮ側）から接続して保守（メンテナンス）できるようにしている。以下に、この実施の形態の通信システムを構成する接続装置親機２（１）、接続装置子機２（２）〜２（５）、保守ＰＣ３の構成例等について説明する。
【００２７】
［接続装置２の構成例］
図２は、この実施の形態の接続装置親機２（１）と接続装置子機２（２）〜２（５）の構成例を説明するためのブロック図である。接続装置親機２（１）と接続装置子機２（２）〜２（５）とは、基本的な構成は同様のものである。このため、ここでは、接続装置親機２（１）と接続装置子機２（２）〜２（５）とを総称して接続装置２と記載する。
【００２８】
この実施の形態の接続装置２は、大きく分けると、基本機能部、親機処理部２２０、子機処理部２３０からなる。基本機能部はルータとしての基本機能を実現する部分である。また、親機処理部２２０は、当該接続装置２が接続装置親機として機能する場合に動作する処理部であり、子機処理部２３０は当該接続装置２が接続装置子機として機能する場合に動作する処理部である。
【００２９】
基本機能部は、上位ネットワークへの接続ポート２０１、上位側Ｉ／Ｆ２０２、アドレス付与部２０３、ルーティング処理部２０４、記憶装置２０５、下位ネットワークへの接続ポート２０６、下位側Ｉ／Ｆ２０７、制御部２１０からなる。制御部２１０は、図示しないが、ＣＰＵ（Central Processing Unit）、ＲＯＭ（Read Only Memory）、ＲＡＭ（Random Access Memory）、不揮発性メモリなどがバスを通じて接続されて構成されたマイクロプロセッサであり、接続装置２の各部を制御する。
【００３０】
上位ネットワークへの接続ポート２０１は、上位ネットワークへの接続端である。上位側Ｉ／Ｆ２０２は、上位ネットワークを通じて送信されてきた自機宛てのパケットを、自機で処理可能な形式に変換して取り込んだり、自機から上位ネットワークに送出するパケットを送信用の形式に変換して送出したりする処理を行う。アドレス付与部２０３は、ＤＨＣＰサーバ機能を実現する部分であり、自機の下位に位置する装置に対してプライベートＩＰアドレスを付与する機能を実現する。
【００３１】
ルーティング処理部２０４は、後述する記憶装置２０５に格納されているルーティングテーブルに従って、自機から送出するパケットの転送先を決定する処理を行う。記憶装置２０５は、比較的に記憶容量の大きな半導体メモリなどの記録媒体とそのドライバとからなり、当該記録媒体へのデータの書き込み、読み出し、削除等を行う。この実施の形態において、記憶装置２０５には、ルーティングテーブル、付与ＩＰアドレステーブル、子機テーブルなどが格納されている。
【００３２】
ルーティングテーブルは、上述したルーティング処理部２０４により参照されるテーブルであり、ネットワーク上の様々な宛先に対する最も良い経路を決定するためのデータが記録されたものである。付与ＩＰアドレステーブルは、配下の装置に付与したローカルＩＰアドレスを管理するものである。子機テーブルは、自機の配下に接続された接続装置子機を管理するものである。図３は、付与ＩＰアドレステーブルの例を説明するための図であり、図４は、子機テーブルの例を説明するための図である。図３、図４は、いずれも接続装置親機２（１）の記憶装置２０５に形成されている付与ＩＰアドレステーブルの例と子機テーブルの例を示している。
【００３３】
付与ＩＰアドレステーブルは、図３に示したように、アドレス付与部２０３が、配下の装置に付与した（割り当てた）ＩＰアドレスを管理する。これにより、同じＩＰアドレスを重複して付与するなどのことがないようにされる。子機テーブルは、図４に示したように、「ＭＡＣアドレス」、「種別」、「アクセス日時」、「その他」の情報からなる。「ＭＡＣアドレス」は、配下の装置の装置識別情報であり、例えば、通信ネットワークの設置作業者等によって予め設定される情報である。「種別」は、ＭＡＣアドレスが登録された配下の装置が、どのような装置かを示す情報であり、例えば、通信ネットワークの設置作業者等によって予め設定される情報である。
【００３４】
これら「ＭＡＣアドレス」、「種別」は、例えば、保守ＰＣ３を通じて、接続装置親機２（１）に対して設定することができるようにされる。この例においては、図４に示したように、接続装置親機２（１）の配下には、接続装置子機が４台、ＰＣが１台接続されていることが管理されている。
【００３５】
「アクセス日時」は、保守ＰＣ３を通じて、当該ＭＡＣアドレスで特定される装置にいつアクセスするようにしたのかを示す情報であり、接続装置親機２（１）の制御部２１０によって更新される情報である。「その他」としては、例えば、１階や２階、営業部や総務部、東西南北などといった接続装置子機の設置場所を示す情報等、必要となる情報を格納できる。なお、その他の情報として設置場所を示す情報を管理する場合には、設置場所を示す情報は、通信ネットワークの設置作業者等によって、保守ＰＣ３を通じて予め設定される。そして、図４に示した子機テーブルの情報は、接続装置２が接続装置親機として機能する場合において、子機一覧リストを形成する際に利用される。
【００３６】
下位ネットワークへの接続ポート２０６は、下位ネットワークへの接続端である。下位側Ｉ／Ｆ２０７は、下位ネットワークを通じて送信されてきた自機宛てのパケットを、自機で処理可能な形式に変換して取り込んだり、自機から下位ネットワークに送出するパケットを送信用の形式に変換して送出したりする処理を行う。
【００３７】
親機処理部２２０は、図２に示すように、子機一覧提供部２２１、接続用情報提供部２２２、親機情報提供部２２３を備える。子機一覧提供部２２１は、保守ＰＣ３からの要求に応じて、子機テーブル（図４）に基づき１以上の接続装置子機の一覧リスト（子機一覧リスト）を作成し、これを保守ＰＣ３に提供する処理を行う。
【００３８】
接続用情報提供部２２２は、子機一覧リストの提供を受けた保守ＰＣ３からの要求に応じて、当該子機一覧リストを通じて選択された保守対象の接続装置子機のＭＡＣアドレスを含む保守許可要求を形成する。そして、接続用情報提供部２２２は、形成した保守許可要求を配下の１以上の接続装置子機に提供し、当該保守許可要求に含まれるＭＡＣアドレスにより特定される保守対象の接続装置子機からの許可を得て、保守ＰＣ３にリ接続用情報を提供する。これにより、保守ＰＣ３は、接続装置親機２（１）から保守対象の接続装置子機２（２）〜２（５）に接続することができるようにされる。
【００３９】
なお、上述もしたように、接続装置２が接続装置親機として機能するのか、接続装置子機として機能するのかは、通信システムの設置作業者が予め設定するものとして説明した。しかし、これに限るものではなく、この実施の形態の接続装置２は、自動的に接続装置親機と接続装置子機との設定を行うこともできる。
【００４０】
具体的、接続装置親機は自機が親機であることを示す特定の情報を、下位のネットワークに接続された配下の接続装置に送信する。また、配下の接続装置は、上位のネットワークを通じて親機であることを示す特定の情報を受信したときには、自機は接続装置子機であると判別し、接続装置親機に対して、子機登録を行うようにする。接続装置２の制御部２１０が、上位のネットワークを通じて、親機であることを示す特定の情報を受信していないと判別したとする。この場合に、制御部２１０の制御の下、親機情報提供部２２３は親機であると認識し、自機を親機として機能するように切り替えると共に、自機が親機であることを示す特定の情報を下位のネットワークに接続された配下の接続装置に送信する処理を行う。
【００４１】
子機処理部２３０は、図２に示すように、許可応答形成部２３１と子機情報登録部２３２とからなる。許可応答形成部２３１は、接続装置親機からの自機のＭＡＣアドレスを含む保守許可要求を受け付けた場合に、保守許可応答を形成して接続装置親機に提供する。これにより、上述もしたように、接続装置親機は、保守対象の当該接続装置子機に接続するための接続用情報を保守ＰＣに提供することができるようにされる。
【００４２】
また、制御部２１０が、上述したように、上位のネットワークを通じて親機であることを示す特定の情報を受信したと判別したとする。この場合には、制御部２１０の制御の下、子機情報登録部２３２は、自機を子機として機能するように切替部を切り替えると共に、自機が子機であることを示す情報を接続装置親機に提供して、自機を子機として登録するようにする処理を行う。
【００４３】
このように、接続装置２は、接続装置親機として機能する場合には、親機処理部２２０の子機一覧提供部２２１と接続用情報提供部２２２が機能し、接続装置子機として機能する場合には、子機処理部２３０の許可応答形成部２３１が機能する。これにより、保守ＰＣ３が目的とする接続装置子機へＷＡＮ側（上位側）より適切に接続できるようにしている。また、接続装置２は、接続装置親機として機能する場合には、親機処理部２２０の親機情報提供部２２３が機能し、接続装置子機として機能する場合には、子機処理部２３０の子機情報登録部２３２が機能して、親機／子機の切替制御を行うことができる。
【００４４】
［保守ＰＣ３の構成例］
図５は、この実施形態の通信システムで用いられる保守ＰＣ３の構成例を説明するためのブロック図である。この実施の形態の保守ＰＣ３は、図５に示すように、ＬＡＮポート３０１Ｔ、ＬＡＮＩ／Ｆ３０１、ディスプレイコントローラ３０２、ディスプレイ３０３、音声出力処理部３０４、スピーカ３０５、接続実行部３０６を備える。
【００４５】
さらに、保守ＰＣ３は、制御部３２０、ハードディスクドライバ（以下、ＨＤＤと記載する。）３１０、操作入力インターフェース（以下、操作入力Ｉ／Ｆと記載する。）３０８、操作部３０９を備える。制御部３２０は、ＣＰＵ３２１、ＲＯＭ３２２、ＲＡＭ３２３がバスを通じて接続されて形成されたマイクロプロセッサである。制御部３２０は、保守ＰＣ３の各部を制御すると共に、種々のアプリケーションソフトウェアを実行するアプリケーション実行部としても機能する。ＨＤＤ３１０は、ハードディスクと当該ハードディスクへのデータの書き込み／読み出し機構を備えたものである。
【００４６】
ディスプレイコントローラ３０２とディスプレイ３０３とは表示出力インターフェースを構成し、音声出力処理部３０４とスピーカ３０５とは音声出力インターフェースを構成し、操作入力Ｉ／Ｆ３０８と操作部３０９とは入力インターフェースを構成する。すなわち、これらはユーザインターフェースを構成し、ディスプレイに表示された入力画面に対して操作部３０９を通じて情報の入力を行ったり、音声による入力ガイダンスや警告音の提供を受けたりすることができるようになっている。なお、操作部３０９はキーボードやマウスなどと呼ばれるポインティングデバイスなどである。
【００４７】
保守ＰＣ３は、ＬＡＮポート３０１Ｔを通じてＬＡＮ４に接続されることにより、図１を用いて説明したように、接続装置子機２（２）〜２（５）と同様に、接続装置親機２（１）の配下に接続される。保守ＰＣ３のＬＡＮＩ／Ｆ３０１は、ＬＡＮ４を通じて送信されて来る自機宛てのパケットを自機において処理可能な形式に変換して取り込んだり、また、自機から送信するパケットを送信用の形式に変換して送信したりする。制御部３２０は、受信して取り込んだパケットを分解して利用できるようにしたり、送信用のパケットを生成したりするパケット処理部としても機能するものである。
【００４８】
そして、保守ＰＣ３においては、主に制御部３２０と接続実行部３０６が機能することによって、接続装置親機２（１）からの情報に基づいて、接続装置子機２（２）〜２（５）に接続し、接続装置子機２（２）〜２（５）を保守できるようにしている。すなわち、制御部３２０は、操作部３０９を通じて受け付けた使用者からの指示入力に応じて、接続装置親機２（１）にアクセスし、子機一覧リストの提供を要求する。これに応じて、接続装置親機２（１）から子機一覧リストが提供されるので、制御部３２０は、当該子機一覧リストを、ディスプレイコントローラ３０２を通じてディスプレイ３０３に表示する。
【００４９】
図６は、子機一覧リストのディスプレイ３０３への表示例を説明するための図である。図６に示すように、この例の子機一覧リストは、接続装置親機２（１）の配下に接続されている接続装置子機の一覧リストであり、ＭＡＣアドレスとアクセス日とを有する。そして、保守ＰＣ３の使用者は、接続装置子機２（２）〜２（５）の内、これから保守しようとしている接続装置子機に対応するＭＡＣアドレスを含む行にカーソルＣＳを位置付ける。そして、ディスプレイ３０２の下端側に設けられておる「ＯＫ」ボタンを選択する操作を行うと、カーソルＣＳが位置付けられた接続装置子機を保守対象に選択できる。
【００５０】
この実施の形態では、接続装置子機２（２）〜２（５）のＭＡＣアドレスは、保守ＰＣ３の使用者である通信ネットワークの設置作業者により接続装置親機２（１）に対して登録された情報である。このため、保守ＰＣ３の使用者は、接続装置子機２（２）〜２（５）のそれぞれのＭＡＣアドレスを把握しており、目的とする接続装置子機を選択できる。このようにして、保守対象の接続装置子機が選択されると、その選択された接続装置子機のＭＡＣアドレスを含む接続装置子機への接続要求を形成し、これを接続装置親機２（１）に送信する。
【００５１】
接続装置への接続要求を受けた接続装置親機２（１）は、各接続装置子機２（２）〜２（５）に対して、保守対象の接続装置子機のＭＡＣアドレスを含む保守許可要求を提供して、当該ＭＡＣアドレスで特定される接続装置子機からの許可応答を待つ。そして、接続装置親機２（１）は、保守対象の接続装置子機から保守許可応答を受け付けると、当該保守対象の接続装置子機のＩＰアドレスを含む保守接続応答を保守ＰＣ３に提供する。この後、保守ＰＣの接続実行部３０６は、制御部３２０の制御の下、接続装置親機２（１）からの保守許可応答に含まれるＩＰアドレスを用いて、保守対象の接続装置子機に接続して、保守を実行することができるようにされる。
【００５２】
このように、保守ＰＣ３の制御部３２０は、子機一覧リスト要求部としての機能や保守対象の接続装置子機への接続要求生成部としての機能を実現している。また、制御部３２０とディスプレイ３０２や操作部３０９を含むユーザインターフェースとによって、保守対象の接続装置子機の選択入力を受け付ける受付部としての機能を実現している。そして、制御部３２０の制御の下に機能する接続実行部が、接続処理を実行する機能を実現している。
【００５３】
なお、図６に示したように、接続装置子機の一覧リストがディスプレイ３０３に表示されているときに、ディスプレイ３０２の下端側に設けられておる「終了」ボタンを選択する操作が行われたとする。この場合には、制御部３２０は、接続装置子機の選択処理を終了し、接続装置子機の一覧リストをディスプレイ３０３から消去して、接続装置子機の一覧リストの表示前の状態に戻るようにされる。
【００５４】
また、図６に示した子機一覧リストでは、子機１、子機２、…といった子機に対応するシーケンス番号と、ＭＡＣアドレスと、アクセス日とからなるものとして示したが、これに限るものではない。例えば、接続装置親機２（１）の子機テーブルのその他の情報に接続装置子機の設置場所を示す情報を表示するなどのこともできる。
【００５５】
［接続装置子機の保守処理］
図７は、この実施の形態の通信システムで行われる子機一覧リストからの子機への接続処理について説明するためのシーケンス図である。すなわち、図７は、保守ＰＣ３が、接続装置親機２（１）からの情報に基づいて、接続装置子機２（２）〜２（５）に接続して、それらを保守する場合の処理について説明するためのシーケンス図である。図７に示すシーケンス図の処理を開始する前に、この実施の形態の通信システムにおいては、以下の準備が整えられているものとする。
【００５６】
すなわち、（イ）回線終端装置１の直下に接続装置親機２（１）を接続する。（ロ）接続装置親機２（１）のＬＡＮ側（この例の場合にはＩＰアドレスのネットワーク部が「１９２．１６８．１側」）のネットワークから保守ＰＣ３を通じて接続装置親機２（１）に接続（アクセス）し、親機の設定を行う。（ハ）接続装置親機２（１）のＬＡＮ側から保守ＰＣ３を通じて接続装置親機２（１）に接続し、接続装置子機２（２）〜２（５）のＭＡＣアドレス等を登録する。（二）接続装置子機２（２）〜２（５）をＩＰアドレスのネットワーク部が「１９２．１６８．１側」のネットワーク（ＬＡＮ４）に接続する。（ホ）接続装置親機２（１）が接続装置子機２（２）〜２（５）にＩＰアドレスを割り当てる。
【００５７】
上記の（イ）〜（ホ）に示した準備が整えられた後に、保守ＰＣ３は、接続装置親機２（１）からの情報に基づいて、目的とする接続装置子機２（２）〜２（５）に接続して、保守（メンテナンス）を行うことができるようにされる。つまり、保守ＰＣ３は、接続装置子機２（２）〜２（５）のＬＡＮ側（下位側）から接続するのではなく、ＷＡＮ側（上位側）より接続して保守をすることができる。
【００５８】
図７を参照しながら具体的に説明する。接続装置子機２（２）〜２（５）の内、例えば接続装置子機２（５）について、保守ＰＣ３を通じて保守を行う必要が生じたとする。この場合、保守ＰＣ３の使用者は、保守ＰＣ３を用いてＬＡＮ側（この例の場合にはＩＰアドレスのネットワーク部が「１９２．１６８．１側」）のネットワークから接続装置親機２（１）のメンテナンスページへ接続する（ステップＳ１）。図１を用いて説明したように、保守ＰＣ３は接続装置親機２（１）の配下の装置としてＬＡＮ４を通じて装置親機２（１）に接続されているので、ＬＡＮ４を通じて接続装置親機２（１）に接続できる。
【００５９】
そして、保守ＰＣ３の制御部３２０は、子機一覧リスト提供要求を形成し、これを接続装置親機２（１）に送信する（ステップＳ２）。子機一覧リスト提供要求を受信した接続装置親機２（１）は、子機一覧提供部２２１が機能して記憶装置２０５の子機テーブル（図４）に基づき子機一覧リストを作成し、これを要求元の保守ＰＣ３に提供する（ステップＳ３）。子機一覧リストの提供を受けた保守ＰＣ３の制御部３２０は、ディスプレイコントローラ３０２を通じてディスプレイ３０３に子機一覧リストを表示し、保守対象の接続装置親機の選択入力を受け付ける（ステップＳ４）。
【００６０】
ここで、保守ＰＣ３の使用者が、例えば図６を用いて説明したように、表示された子機一覧リストを通じて接続装置子機２（５）のＭＡＣアドレスを含む行を選択したとする。この場合、保守ＰＣ３の制御部３２０は、選択された接続装置子機２（５）のＭＡＣアドレスを含む接続装置子機への接続要求を形成し、これを接続装置親機２（１）に送信する（ステップＳ５）。接続装置親機２（１）の接続用情報提供部２２２は、保守ＰＣ３からの当該接続要求に含まれる接続装置子機２（５）のＭＡＣアドレスを含むメンテナンス許可要求を形成し、配下の接続装置子機２（２）〜２（５）にブロードキャスト送信する（ステップＳ６）。
【００６１】
接続装置子機２（２）〜２（５）のそれぞれにおいては、接続装置親機からのメンテナンス許可要求を受信すると、制御部２１０が自機のＭＡＣアドレスを含む自機宛てのメンテナンス許可要求か否かを確認する（ステップＳ７）。ステップＳ７の確認処理において、自機宛てのメンテナンス許可要求でないことを確認した時には、制御部２１０はこれを無視（スルー）する。
【００６２】
また、ステップＳ７の確認処理において、この例では、接続装置子機２（５）の制御部２１０が、自機のＭＡＣアドレスを含む自機宛てのメンテナンス許可要求であると確認したとする。この場合、接続装置子機２（５）では、制御部２１０の制御の下、許可応答形成部２３１が機能し、自機に割り当てられているＷＡＮ側（上位側）のＩＰアドレスを含むメンテナンス許可応答を形成し、これを接続装置親機２（１）に送信する（ステップＳ８）。
【００６３】
接続装置親機２（１）の接続用情報提供部２２２は、受信したメンテナンス許可応答に含まれるＩＰアドレスを含むメンテナンス接続応答を形成し、これを接続要求元の保守ＰＣ３に提供する（ステップＳ９）。保守ＰＣ３は、メンテナンス接続応答を受信すると、接続実行部３０６が機能して、当該メンテナンス接続応答に含まれるＩＰアドレスを用いて、保守対象の接続装置子機２（５）のメンテナンスページに接続（ログイン）する（ステップＳ１０）。すなわち、ステップＳ１０の処理は、接続装置親機２（１）から提供される情報に基づいて、保守ＰＣ３が目的とする保守対象の接続装置子機２（５）に接続する処理である。
【００６４】
これにより、保守ＰＣ３を通じて、保守対象の接続装置子機、この例の場合には接続装置子機２（５）にＷＡＮ側（上位側）より接続して保守をすることができる。そして、保守対象の接続装置子機２（５）は、保守ＰＣ３から保守の終了指示を受け付けたり、あるいは、保守ＰＣ３からのログイン後、保守ＰＣ３からの操作を一定時間以上受けていなかったりすることにより、保守が終了したか否かを確認する（ステップＳ１１）。
【００６５】
ステップＳ１１の確認処理において、保守は終了していないと確認したときには、ステップＳ１１からの処理を繰り返し、保守の終了を待つ。ステップＳ１１の確認処理において、保守は終了したと確認できたときには、保守ＰＣ３の接続を自機から切り離すログアウト処理を実行し（ステップＳ１２）。保守ＰＣ３を用いた接続装置子機２（５）への保守を終了する。ここでは、接続装置子機２（５）をメンテナンスする場合について説明したが、他の接続装置子機２（２）〜２（４）に対しても、同様にして接続装置親機２（１）から接続して保守（メンテナンス）することができる。
【００６６】
［親機と子機の自動設定］
この実施の形態の通信システムにおいては、回線終端装置１の直下に接続されている接続装置親機２（１）に対して、下位側のネットワークであるＬＡＮ４を通じて、保守ＰＣ３が接続して親機の設定を行うようにした。そして、接続装置子機２（２）〜２（５）についは、初期状態で子機となる設定をしておけば、親機の設定がなければ子機のままとされるので、通信システムにおける親機と子機の区別は適切に行える。
【００６７】
しかし、保守ＰＣ３の使用者の手を煩わせることなく、通信システムに用いられる接続装置のそれぞれについて、親機／子機の設定を自動的に行うこともできる。そして、子機として設定された接続装置（接続装置子機）から親機として設定された接続装置（接続装置親機）に対して必要な情報を提供し、子機登録を自動的に行うようにすることもできる。この場合の親機／子機の自動設定は、例えば、ＤＨＣＰフレームのＤＨＣＰメッセージ部に設けられているオプションを利用して行う。
【００６８】
図８は、ＤＨＣＰフレームのメッセージ部の構成を説明するための図である。ＤＨＣＰフレームは、イーサネット（登録商標）ヘッダ部（１４バイト）、ＩＰヘッダ部（２０バイト）、ＵＰＤヘッダ部（８バイト）に続き、図８に示したＤＨＣＰメッセージ部がある。イーサネット（登録商標）ヘッダ部とＩＰヘッダ部には、宛先のＭＡＣアドレスやＩＰアドレス、発信元のＭＡＣアドレスやＩＰアドレスが格納され、ＵＰＤヘッダ部には、発信元ポート番号や宛先ポート番号、ＵＰＤデータ長、チェックサムなどが格納される。そして、ＤＨＣＰメッセージ部には、図８の下端側に示したように可変長のオプションの領域が設けられており、このオプションの領域を用いて、必要な情報を相手先に提供する構成になっている。
【００６９】
図９は、ＤＨＣＰメッセージ部のオプションの概要について説明するための図であり、オプションを通じて相手先に通知する情報のいくつかの例を示している。図９において、コードはタグ値とも呼ばれる１０進数の数値であり、オプション（タグ）として通知する情報（データ）のそれぞれを特定する情報である。そして、図９に示すように、コード「０」は、「Ｐａｄ」とよばれ、オプションデータを一定サイズまで埋めるのに使用する。コード「１」は、「サブネット・マスク」であり、サブネット・マスク・アドレスを示す。コード「３」は、ルータのアドレスであり、デフォルト・ゲートウェイ・アドレスを示す。このように、ＤＨＣＰフレームのオプションは、コードによって特定される種々の情報を相手先に提供する場合に使用される。
【００７０】
そして、図９において、コード「１２６」は、拡張（Extension）情報を提供するものである。この実施の形態の通信システムにおいて、各接続装置２（１）〜２（５）は、上位の接続装置などのＤＨＣＰサーバに対して、ＩＰアドレスの割り当てを要求する。この場合に、上位のＤＨＣＰサーバから提供されるＤＨＣＰフレームのオプションのコード「１２６」の拡張情報に、提供元のＤＨＣＰサーバが接続装置親機であることを示す情報が存在しない場合には、自機は接続装置親機であると認識する。逆に、上位のＤＨＣＰサーバから提供されるＤＨＣＰフレームのオプションのコード「１２６」の拡張情報に、提供元のＤＨＣＰサーバが接続装置親機であることを示す情報が存在する場合には、自機は接続装置子機であると認識する。
【００７１】
図１に示したこの実施の形態の通信システムにおいては、接続装置親機２（１）は、回線終端装置１の直下に接続されるため、上位のネットワークは広域ネットワークである。このため、接続装置親機２（１）に対してＩＰアドレスを割り当てるのは外部のＤＨＣＰサーバであり、ＤＨＣＰフレームのオプションのコード「１２６」の拡張情報で接続装置親機である旨を通知するといったいわゆるローカルルールは適用されない。従って、外部のＤＨＣＰサーバから提供されるＤＨＣＰフレームのオプションのコード「１２６」の拡張情報に、提供元のＤＨＣＰサーバが接続装置親機であることを示す情報が付加されていることはない。このため、接続装置親機２（１）は、自機が自機の属する通信システムにおける接続装置親機であることを認識する。
【００７２】
そして、接続装置親機２（１）においては、この通信システムにおいて適用される上述したローカルルールに従う。この場合、接続装置親機２（１）の親機情報提供部２２３が機能して、配下の装置にＩＰアドレスを割り当てるＤＨＣＰフレームにおいて、ＤＨＣＰメッセージ部のオプションのコード「１２６」の拡張情報に自機が親機であることを示す情報を付加して提供する。一方、接続装置子機２（２）〜２（５）のそれぞれは、ＬＡＮ４を通じて接続装置親機２（１）に接続されている。接続装置子機２（２）〜２（５）のそれぞれから見て、より広域ネットワークに近いＷＡＮ側のネットワークはＬＡＮ４である。従って、接続装置子機２（２）〜２（５）のそれぞれは、接続装置親機２（１）からＬＡＮ４を通じてＩＰアドレスの割り当てを受けることになる。
【００７３】
上述したように、接続装置親機２（１）は、配下の装置にＩＰアドレスを割り当てるＤＨＣＰフレームにおいて、ＤＨＣＰメッセージ部のオプションのコード「１２６」の拡張情報に自機が親機であることを示す情報を付加して提供する。このため、接続装置子機２（２）〜２（５）のそれぞれは、自機が子機であることを認識する。そして、接続装置子機２（２）〜２（５）のそれぞれにおいては、子機情報登録部２３２が機能して、自機が子機であることを接続装置親機２（１）に対して登録することを要求する登録要求「ＲＥＧＩＳＴＥＲ」を形成し、これを接続装置親機２（１）に提供する。当該登録要求には、送信元のＭＡＣアドレスやＩＰアドレスなどの情報が含まれているので、これに基づき、接続装置親機２（１）においては、図４を用いて説明した子機テーブルを作成できる。
【００７４】
図１０は、接続装置子機２（２）〜２（５）のそれぞれにおいて形成される登録要求「ＲＥＧＩＳＴＥＲ」に含まれる送信元の装置が接続装置子機であることを示す情報の例を説明するための図である。図１０に示すように、子機登録を要求する登録要求のユーザエージェント「Ｕｓｅｒ−Ａｇｅｎｔ」に、自機（送信元）が接続装置子機であることを示す情報として、例えば「ＩＰＴＵ  ｂｅｈｉｎｄｖ０１．００」という情報を記録する。ここで、「ＩＰＴＵ」は、自機がネットワーク接続装置（Internet Protocol Transmission Unit）であることを示す情報であり、「ｂｅｈｉｎｄｖ０１．００」は、自機が子機であることを示す情報である。
【００７５】
この他にも、子機登録を要求する登録要求「ＲＥＧＩＳＴＥＲ」には、送信元の装置、すなわち、接続装置子機２（２）〜２（５）のＭＡＣアドレスやＩＰアドレスなどの種々の情報も含まれる。このため、登録要求「ＲＥＧＩＳＴＥＲ」の提供を受ける接続装置親機２（１）では、受信した登録要求「ＲＥＧＩＳＴＥＲ」に応じて、子機登録を行うことができる。
【００７６】
次に、親機／子機の自動設定に係る処理について具体的に説明する。図１１は、この実施の形態の通信システムで行われる接続装置親機と接続装置子機の自動設定を行う場合の処理を説明するための図である。図１１に示す処理は、図１に示したように、各装置が所定のケーブルにより接続された状態で実行される処理である。上述もしたように、接続装置親機２（１）は、回線終端装置１の直下に接続されている。このため、広域ネットワーク側から接続装置親機２（１）に提供されるＤＨＣＰフレームのメッセージ部にあるオプションのコード「１２６」の拡張情報には親機であることを示す情報を含まれない。従って、接続装置親機２（１）は、自機を親機であると認識し、自機が親機であることの設定を例えば制御部２１０の不揮発性メモリに行う（ステップＳ２０）。
【００７７】
次に、保守ＰＣ３の制御部３２０は、ＬＡＮ４を通じてＤＨＣＰの「ＤＩＳＣＯＶＥＲ」フレームをブロードキャスト送信し、上位のＤＨＣＰサーバに対して自機に割り当てられるＩＰアドレスなどの情報の提供を要求する（ステップＳ２１、ステップＳ２２、…）。この場合、ＬＡＮ４に接続されている接続装置２（１）〜２（５）の内、配下の装置にＩＰアドレスを割り当てられるのは接続装置親機２（１）である。このため、接続装置親機２（１）の制御部２１０は、ＤＨＣＰの「ＯＦＦＥＲ」フレームを形成し、これを保守ＰＣ３に提供する（ステップＳ２３）。当該「ＯＦＦＥＲ」フレームは、提案情報として、割り当て可能なＩＰアドレスなどを含むものである。
【００７８】
当該「ＯＦＦＥＲ」フレームを受信した保守ＰＣ３の制御部３２０は、接続装置親機２（１）からの提案（ＯＦＦＥＲ）を受け入れることを通知する「ＲＥＱＵＥＳＴ」フレームを形成して、これを接続装置親機２（１）に送信する（ステップＳ２４）。これに応じて、接続装置親機２（１）では、制御部２１０の制御の下、親機情報提供部２２３が機能して、「ＰＡＣＫ」フレームを形成し、これを保守ＰＣ３に提供する（ステップＳ２５）。この「ＰＡＣＫ」フレームは、保守ＰＣ３に割り当てるＩＰアドレスを含み、ＤＨＣＰメッセージ部のオプションのコード「１２６」の拡張情報に自機が親機であることを示す情報を付加したものである。
【００７９】
保守ＰＣ３の制御部３２０は、自機に割り当てられたＩＰアドレスを設定し、接続装置親機２（１）を親機として認識する（ステップＳ２６）。これにより、保守ＰＣ３は、接続装置子機を保守（メテナンス）する場合には、接続装置親機２（１）を介して行うことになる。
【００８０】
そして、接続装置子機２（２）〜２（５）もまた、保守ＰＣ３と同様の処理を行う。更に、接続装置子機２（２）〜２（５）の場合には、自機が子機であることを接続装置親機２（１）に登録する処理も行う。ここでは、説明を簡単にするため、接続装置子機２（２）と接続装置親機２（１）との間で行われる処理として説明するが、接続装置子機２（３）〜接続装置子機２（５）においても同様の処理が行われる。
【００８１】
具体的に、接続装置子機２（２）の制御部２１０は、ＬＡＮ４を通じてＤＨＣＰの「ＤＩＳＣＯＶＥＲ」フレームをブロードキャスト送信し、上位のＤＨＣＰサーバに対して自機に割り当てられるＩＰアドレスなどの情報の提供を要求する（ステップＳ２７、ステップＳ２８、…）。上述したように、ＬＡＮ４に接続された装置の内、配下の装置にＩＰアドレスを割り当てられるのは接続装置親機２（１）である。このため、接続装置親機２（１）においては、制御部２１０の制御の下、親機情報提供部２２３が機能して、ＤＨＣＰの「ＯＦＦＥＲ」フレームを形成し、これを接続装置子機２（２）に提供する（ステップＳ２９）。当該「ＯＦＦＥＲ」フレームは、提案情報として、割り当て可能なＩＰアドレスなどを含むものである。
【００８２】
当該「ＯＦＦＥＲ」フレームを受信した接続装置子機２（２）の制御部２１０は、接続装置親機２（１）からの提案（ＯＦＦＥＲ）を受け入れることを通知する「ＲＥＱＵＥＳＴ」フレームを形成して、これを接続装置親機２（１）に通知する（ステップＳ３０）。これに応じて、接続装置親機２（１）では、制御部２１０の制御の下、親機情報提供部２２３が機能して、「ＰＡＣＫ」フレームを形成し、これを接続装置子機２（２）に提供する（ステップＳ３１）。当該「ＰＡＣＫ」フレームは、接続装置子機２（２）に割り当てるＩＰアドレスを含み、ＤＨＣＰメッセージ部のオプションのコード「１２６」の拡張情報に自機が親機であることを示す情報が付加されたものである。これにより、接続装置子機２（２）は、「ＰＡＣＫ」フレームにより自機に割り当てられたＩＰアドレスを設定する。
【００８３】
また、当該「ＰＡＣＫ」フレームのＤＨＣＰメッセージ部のオプションのコード「１２６」の拡張情報に親機であることを示す情報が付加されている。このため、接続装置子機２（２）の制御部２１０は、接続装置親機２（１）が親機であり、自機は子機であることを認識し、自機が子機であることを例えば制御部２１０の不揮発性メモリに設定する（ステップＳ３２）。この後、接続装置子機２（２）では、制御部２１０の制御の下、子機情報登録部２３２が機能して、自機のＭＡＣアドレスや自機に割り当てられたＩＰアドレスを含み、図１０に示した「Ｕｓｅｒ−Ａｇｅｎｔ」を含む子機登録を要求する「ＲＥＧＩＳＴＥＲ」フレームを形成し、これを接続装置親機２（１）に提供する。
【００８４】
当該「ＲＥＧＩＳＴＥＲ」フレームを受信した接続装置親機２（１）では、制御部２１０が当該「ＲＥＧＩＳＴＥＲ」フレームに含まれるＭＡＣアドレスを用いて、図４を用いて説明した子機テーブルを作成することにより、子機登録を行う（ステップＳ３４）。なお、この場合、「ＲＥＧＩＳＴＥＲ」フレームには、送信元の接続装置子機２（２）に割り当てられたＩＰアドレスも存在するので、ＭＡＣアドレスとＩＰアドレスとを対応付けて管理するようにしてもよい。
【００８５】
この後、接続装置親機２（１）の制御部２１０は、子機登録が正常に完了したことを通知する「２００ＯＫ」フレームを形成し、これを接続装置子機２（２）に送信する（ステップＳ３５）。これにより、接続装置子機２（２）における、自機が子機であることに認識と、接続装置親機２（１）に対して自機を子機登録する処理が完了する。なお、「２００ＯＫ」フレームが送信されてこない場合には、例えば、接続装置子機２（２）は、再度、「ＲＥＧＩＳＴＥＲ」フレームを送信して、子機登録を行うようにする処理が繰り返される。
【００８６】
そして、ここで接続装置子機２（２）と接続装置親機２（１）との間で行われるものとして説明した処理は、接続装置子機２（３）〜２（５）と接続装置親機２（１）との間でも行われる。このため、接続装置子機２（２）〜２（５）から接続装置親機２（１）に対して一斉に「ＲＥＧＩＳＴＥＲ」フレームが送信されて、子機登録が要求される場合もあるが、この場合には、接続装置親機２（１）では、先着優先で子機登録を行う。これにより、接続装置２（１）〜２（５）のそれぞれについて、自動的に親機、子機の登録ができると共に、子機であると認識した接続装置子機２（２）〜２（５）のそれぞれはＭＡＣアドレスを接続装置親機２（１）に提供し、子機登録も自動的に行える。
【００８７】
そして、接続装置親機２（１）では、接続装置子機２（２）〜２（５）からのＭＡＣアドレスを用いて子機テーブル（図４）を自動的に形成することができる。なお、子機テーブルにおいて、その他の情報として例えば各接続装置子機の設置場所を示す情報を入力するときには、保守ＰＣ３から接続装置親機２（１）に接続して、子機テーブルの保守を行うようにすればよい。
【００８８】
このようにして、親機／子機の設定や子機テーブルの形成が自動的になされた後においては、図７のシーケンス図を用いて説明したように、保守ＰＣ３が接続装置親機２（１）から提供される情報に基づいて、目的とする接続装置子機２（２）〜２（５）に接続できる。従って、保守ＰＣ３の使用者の手をほとんど煩わせることなく、接続できる環境を整えて、接続装置子機２（２）〜２（５）のそれぞれに接続して必要な保守（メンテナンス）を行うことができる。
【００８９】
なお、自動的に子機テーブルを形成する場合には、接続装置子機２（２）〜２（５）のそれぞれのＭＡＣアドレスと割り当てられたＩＰアドレスとを対応付けて管理できる。このため、図７のシーケンス図のステップＳ８のメンテナンス許可応答において、各接続装置子機２（２）〜２（５）は、ＭＡＣアドレスを通知すればＩＰアドレスを通知する必要はない。
【００９０】
また、接続装置子機２（２）〜２（５）のそれぞれが、ＩＰアドレスの再割り当てを受けるごとに、接続装置親機２（１）に対して子機登録を行うようにすることにより、ＭＡＣアドレスとＩＰアドレスとの対応付けも最新の状態を管理することができる。
【００９１】
［実施の形態の効果］
この実施の形態の通信システムにおいては、接続装置親機２（１）からＩＰアドレスの割り当てを受ける接続装置子機２（２）〜２（５）のそれぞれについて、接続装置親機２（１）から提供される情報に基づいて接続して保守（メンテナンス）をすることができる。すなわち、保守ＰＣ３は、接続装置子機２（２）〜２（５）のそれぞれに対して、下位側（図１のＬＡＮ５〜８側）から接続してメンテナンスするのではなく、上位側（ＷＡＮ側）のネットワーク（ＬＡＮ４）を介して接続してメンテナンスできる。
【００９２】
［変形例］
接続装置子機の台数は１台以上であれば何台でもよい。また、複数の接続装置親機を設けることも可能である。この場合には、接続装置子機が、どの接続装置親機からの情報を用いるのかを選択するようにすればよい。また、保守ＰＣ３も複数設けることももちろん可能である。
【００９３】
また、上述した実施の形態では、接続装置（子機）２（２）〜２（５）のそれぞれのＭＡＣアドレスを用いて区別するようにしたが、これに限るものではない。接続装置（子機）２（２）〜２（５）のそれぞれに固有の識別情報、例えば製造番号や当該電話システムにおいて各接続装置（子機）に付与するようにした管理番号などがあれば、これを用いることができる。
【００９４】
また、上述した実施の形態では、接続装置親機は、ＤＨＣＰフレームのメッセージ部のオプションのコード１２６の拡張情報を用いて、当該ＤＨＣＰフレームの送信元が接続装置親機であることを通知するようにしたが、これに限るものではない。当該ＤＨＣＰフレームの送信元が接続装置親機であることを通知することができ、受信側の装置でそれを適切に認識することができれば、他のエリアを用いて接続装置親機であることの通知を行うようにしてもよい。
【００９５】
［その他］
上述した実施の形態の説明からも分かるように、請求項における接続装置親機の記憶手段、子機一覧提供手段、接続用情報提供手段の各機能は、実施の形態の接続装置２の記憶装置２０５、子機一覧提供部２２１、接続用情報提供部２２２が実現している。また、請求項における接続装置親機の親機情報提供手段の機能は、実施の形態の接続装置２の親機情報提供部２２３が実現している。
【００９６】
また、請求項における接続装置子機の許可応答形成手段、子機情報登録手段の各機能は、実施の形態の接続装置２の許可応答形成部２３１、子機情報登録部２３２が実現している。
【００９７】
また、請求項における保守用装置の一覧リスト要求手段、接続要求手段の各機能は、実施の形態の保守ＰＣ３の制御部３２０が実現している。また、請求項における保守用装置の接続実行手段の機能は、実施の形態の保守ＰＣ３の接続実行部３０６が実現している。
【００９８】
なお、図７のシーケンス図を用いて説明した接続装置親機２（１）で行われる処理が、この発明の接続処理プログラムの一実施の形態が適用されたものである。具体的には、保守ＰＣ３からの要求に応じて、１以上の前記接続装置子機のそれぞれに割り当てられているＭＡＣアドレスを記憶する子機テーブルのＭＡＣアドレスに基づき１以上の接続装置子機の一覧リストを作成し、保守ＰＣ３に提供する子機一覧提供ステップと、保守ＰＣ３において接続装置子機の一覧リストを通じて選択された保守対象の接続装置子機のＭＡＣアドレスを含む保守許可要求を１以上の接続装置子機に提供し、保守対象の接続装置子機からの許可を得て、保守ＰＣ３に接続用情報を提供する接続用情報提供ステップを実行するものである。
【００９９】
また、図７のシーケンス図を用いて説明した接続装置子機２（２）で行われる処理が、この発明の接続応答プログラムの一実施の形態が適用されたものである。具体的には、続装置親機からの自機のＭＡＣアドレスを含む保守許可要求を受け付けた場合に、保守許可応答を形成して接続装置親機に提供する接続応答ステップを実行するものである。
【０１００】
また、図２の親機処理部２２０の子機一覧提供部２２１、接続用情報提供部２２２、親機情報提供部２２３の各機能は、制御部２１０で実行されるソフトウェアによって、制御部２１０の機能として実現することもできる。同様に、子機処理部２３０の許可応答形成部２３１、子機情報登録部２３２の各機能もまた、制御部２１０で実行されるソフトウェアによって、制御部２１０の機能として実現することもできる。
【符号の説明】
【０１０１】
１…回線終端装置、２…接続装置、２（１）…接続装置親機、２（２）〜２（５）…接続装置子機、２０１…接続ポート、２０２…上位側Ｉ／Ｆ、２０３…アドレス付与部、２０４…ルーティング処理部、２０５…記憶装置、２０６…接続ポート、２０７…下位側Ｉ／Ｆ、２１０…制御部、２２０…親機処理部、２２１…子機一覧提供部、２２２…接続用情報提供部、２２３…親機情報提供部、２３０…子機処理部、２３１…許可応答形成部、２３２…子機情報登録部、３…保守ＰＣ、３０１Ｔ…ＬＡＮポート、３０１…ＬＡＮＩ／Ｆ、３０２…ディスプレイコントローラ、３０３…ディスプレイ、３０４…音声出力処理部、３０５…スピーカ、３０６…接続実行部、３０８…操作入力Ｉ／Ｆ、３０９…操作部、３１０…ＨＤＤ、３２０…制御部、３２１…ＣＰＵ、３２２…ＲＯＭ、３２３…ＲＡＭ、４〜８…ＬＡＮ
【図１】
2019114994.tif 000003
【図２】
2019114994.tif 000004
【図３】
2019114994.tif 000005
【図４】
2019114994.tif 000006
【図５】
2019114994.tif 000007
【図６】
2019114994.tif 000008
【図７】
2019114994.tif 000009
【図８】
2019114994.tif 000010
【図９】
2019114994.tif 000011
【図１０】
2019114994.tif 000012
【図１１】
2019114994.tif 000013